(57)【要約】【課題】従来の如き格別に棚上にフッ素塗装を施すことなく、棚内に照射された光の拡散構造を用いて当該光の拡散効率の向上及び商品の滑動を円滑とすることができるショーケースを提供する。【解決手段】本発明のショーケースＳは、陳列室３内に架設した棚１１上に商品を陳列して成るものであって、ＬＥＤ素子４１を備えたＬＥＤ照明装置４０を備え、棚１１を透光性の板材にて構成し、この棚１１の端面１１Ａより当該棚１１内にＬＥＤ照明装置４０からの光を入射させると共に、棚１１の上面１１Ｄには複数の凸部３９を一体に形成し、該凸部３９の表面を粗面３９Ａとした。【選択図】図６
2012029878.tif 000002
【特許請求の範囲】
【請求項１】
陳列室内に架設した棚上に商品を陳列して成るショーケースにおいて、
ＬＥＤ素子を備えたＬＥＤ照明装置を備え、
前記棚を透光性の板材にて構成し、該棚の端面より当該棚内に前記ＬＥＤ照明装置からの光を入射させると共に、
前記棚の上面には複数の凸部を一体に形成し、該凸部の表面を粗面としたことを特徴とするショーケース。
【請求項２】
前記凸部を、網点パターン状に形成したことを特徴とする請求項１に記載のショーケース。
【請求項３】
前記凸部を、前後に延在する線状に形成したことを特徴とする請求項１に記載のショーケース。
【請求項４】
前記棚は、後部よりも前部が低く傾斜して前記陳列室内に架設されていることを特徴とする請求項１乃至請求項３のうちの何れかに記載のショーケース。
【請求項５】
前記陳列室内の両側前後に位置して上下に設けられた支柱と、四隅部が前記各支柱に保持され、所定の強度を有する棚支持枠とを備え、
前記棚は前記棚支持枠上に載置されて前記陳列室内に架設されていることを特徴とする請求項１乃至請求項４のうちの何れかに記載のショーケース。
【請求項６】
前記棚支持枠は、縦断面が縦長の鋼板を枠状に成形して成り、該板材の上端面にて前記棚を支持することを特徴とする請求項５に記載のショーケース。
【請求項７】
冷却装置により前記陳列室内を冷却することを特徴とする請求項１乃至請求項６のうちの何れかに記載のショーケース。
【発明の詳細な説明】
【技術分野】
【０００１】
本発明は、陳列室内に棚を架設し、当該棚上に商品を陳列して成るショーケース、特に、当該棚の照明に関する。
【背景技術】
【０００２】
従来より、この種のショーケースは、断面略コ字状の断熱壁の開口上縁に形成した吐出口から開口下縁の吸込口に向けて冷気を吐出することにより、断熱壁にて囲繞された陳列室内は所定の温度に冷却される。そして、開口両側縁や棚前部下面などに複数の蛍光灯を取り付けて、陳列室内の照明を行っていた。
【０００３】
これ以外にも、ショーケースの陳列室内に架設される棚上商品を効果的に照明するため、当該棚自体を透明板材により構成し、棚後端側、即ち、陳列室の背面側にＬＥＤ素子を備えた照明装置を設け、これにより、棚自体を光らせるものが開発されている（例えば特許文献１参照）。
【先行技術文献】
【特許文献】
【０００４】
【特許文献１】特開２００９−５８１１号公報
【発明の概要】
【発明が解決しようとする課題】
【０００５】
上記構成では、各端面は、光拡散構造が施されているため、棚の後端面より棚内に入射された光は乱反射され、棚板の前端、上面、下面、両側端を光らせることができる。一方、棚上に陳列された商品は、販売前に見栄え良く陳列されていても、商品が取り出されていくことで、次第に乱雑となる。そのため、棚上に陳列した商品が顧客に見易く、購買意欲を増進させるため、一般には、前端が低く傾斜して架設されている。そして、棚板の前端部には、その傾斜により陳列した商品が転がり、或いは滑動して落下する不都合を防止するために、ガードが取り付けられている。一般に、棚上の商品の滑動を円滑とするため、棚の上面には、フッ素塗装が施されていた。
【０００６】
そこで、本発明は、従来の如き格別に棚上にフッ素塗装を施すことなく、棚内に照射された光の拡散構造を用いて当該光の拡散効率の向上及び商品の滑動を円滑とすることができるショーケースを提供する。
【課題を解決するための手段】
【０００７】
上記課題を解決するために、本発明のショーケースは、陳列室内に架設した棚上に商品を陳列して成るものであって、ＬＥＤ素子を備えたＬＥＤ照明装置を備え、棚を透光性の板材にて構成し、この棚の端面より当該棚内にＬＥＤ照明装置からの光を入射させると共に、棚の上面には複数の凸部を一体に形成し、該凸部の表面を粗面としたことを特徴とする。
【０００８】
請求項２の発明は、上記発明において、凸部を、網点パターン状に形成したことを特徴とする。
【０００９】
請求項３の発明は、上記請求項１の発明において、凸部を、前後に延在する線状に形成したことを特徴とする。
【００１０】
請求項４の発明は、上記各発明において、棚は、後部よりも前部が低く傾斜して陳列室内に架設されていることを特徴とする。
【００１１】
請求項５の発明は、上記各発明において、陳列室内の両側前後に位置して上下に設けられた支柱と、四隅部が各支柱に保持され、所定の強度を有する棚支持枠とを備え、棚は棚支持枠上に載置されて陳列室内に架設されていることを特徴とする。
【００１２】
請求項６の発明は、上記発明において、棚支持枠は、縦断面が縦長の鋼板を枠状に成形して成り、該板材の上端面にて棚を支持することを特徴とする。
【００１３】
請求項７の発明は、上記各発明において、冷却装置により陳列室内を冷却することを特徴とする。
【発明の効果】
【００１４】
本発明によれば、陳列室内に架設した棚上に商品を陳列して成るショーケースにおいて、ＬＥＤ素子を備えたＬＥＤ照明装置を備え、棚を透光性の板材にて構成し、この棚の端面より当該棚内にＬＥＤ照明装置からの光を入射させることにより、ＬＥＤ照明装置からの光によって、棚全体を光らせて棚上の商品を照明することが可能となる。
【００１５】
特に、棚の上面には複数の凸部を一体に形成し、該凸部の表面を粗面としたことにより、当該凸部の粗面に到達した光は、当該粗面にて乱反射され、これによって、棚全体に光が拡散し、棚自体を光らせた効果的な棚照明を実現することができる。
【００１６】
また、請求項２の発明によれば、上記発明に加えて、凸部を、網点パターン状に形成したことにより、当該棚の上面に載置される商品と棚との接触部分を網点パターン状の凸部との接触面に限ることができ、商品の棚上の滑動を円滑なものとすることができる。
【００１７】
また、請求項３の発明によれば、上記請求項１の発明に加えて、凸部を、前後に延在する線状に形成したことにより、当該棚の上面に載置される商品と棚との接触面積が前後に延在する線状の凸部との接触面積とできるため、商品の棚上での前後方向での滑動を円滑なものとすることができる。
【００１８】
請求項４の発明によれば、上記各発明に加えて、棚は、後部よりも前部が低く傾斜して陳列室内に架設されていることにより、凸部上を滑動する商品を自重によって前側に陳列させることが可能となる。これにより、店員等の陳列作業を簡素化することができる。
【００１９】
請求項５の発明によれば、上記各発明に加えて、陳列室内の両側前後に位置して上下に設けられた支柱と、四隅部が各支柱に保持され、所定の強度を有する棚支持枠とを備え、棚は棚支持枠上に載置されて陳列室内に架設されているので、所定の強度を有する棚支持枠によって棚を保持することができ、棚の架設構造を簡素化することができる。そのため、棚全体から放射される光が棚の架設構造によって大きく遮蔽されてしまう不都合を解消でき、陳列室内全体を明るく照明することが可能となる。
【００２０】
請求項６の発明によれば、上記発明に加えて、棚支持枠は、縦断面が縦長の鋼板を枠状に成形して成り、該板材の上端面にて棚を支持することにより、棚の下面と当該棚を支持する棚支持枠との接触面積を板材の上端面に制限することができるため、棚の下面から照射される光を極力遮蔽しない構成とすることができる。
【００２１】
請求項７の発明によれば、上記各発明に加えて、冷却装置により陳列室内を冷却することにより、陳列室内は低温となるが、棚に設けられるＬＥＤ照明装置は、蛍光灯のような低温による照度低下を生じないため、陳列室内を冷凍などの低温に冷却して使用する低温ショーケースにおいて特に有効となる。
【図面の簡単な説明】
【００２２】
【図１】本発明を適用した一実施例のショーケースの正面図である。
【図２】図１の状態から装飾カバーを取り外した状態のショーケースの斜視図である。
【図３】図１のショーケースの縦断側面図である。
【図４】複数段の棚が架設された状態を示す斜視図である。
【図５】棚支持枠に支持された状態を示す棚の平面図である。
【図６】棚の斜視図である。
【図７】図６の部分拡大図である。
【図８】棚の正面図である。
【図９】図８の部分拡大図である。
【図１０】棚の斜視図である。（他の実施例）
【図１１】図１０の部分拡大図である。
【図１２】図１０の棚の正面図である。
【図１３】図１２の部分拡大図である。
【発明を実施するための形態】
【００２３】
以下、本発明の実施の形態について、詳細に説明する。実施例の低温貯蔵庫Ｓは、飲料や食品等の商品を冷却しながら陳列販売するための所謂低温ショーケースであり、本体１を構成する縦長矩形状の断熱箱体（断熱壁）２内に前面が開口した陳列室３が構成されている。この陳列室３の前面開口は、例えば向かって右側（一側）上下を中心として回動自在に本体１に枢支された扉４により開閉自在に閉塞されている。
【００２４】
この扉４は周囲の金属製扉枠（サッシュ）６と、この扉枠６の内方に嵌め込まれた複層透明ガラス板７とから成り、このガラス板７を通して外部より陳列室３内部が透視可能とされている。また、扉４の向かって左側（非枢支側）の扉枠６には、扉４を開閉するための把手５が設けられている。
【００２５】
断熱箱体２の下側（陳列室３の外側。断熱箱体２外）である本体１の下部には機械室８が構成されており、この機械室８内に冷却装置Ｒの冷媒回路を構成する図示しない圧縮機や凝縮器９、凝縮器用送風機１０等が設置されている。尚、機械室８は前面が開口している。
【００２６】
一方、陳列室３内には、詳細は後述する如き商品陳列用の棚１１が複数段架設されている。また、断熱箱体２内の背面及び底面には、間隔を存して仕切板１２及び１３が設けられており、各仕切板１２及び１３と断熱箱体２との間に、相互に連通した背面ダクト１４及び底面ダクト１６が構成され、陳列室３はこれら仕切板１２及び１３の内側に構成されたかたちとされている。
【００２７】
また、背面の仕切板１２の上端と断熱箱体２間は背面ダクト１４に連通した冷気吹出口１７、底面の仕切板１３の前端と断熱箱体２間は底面ダクト１６に連通した冷気吸込口１８とされている。断熱箱体２の底壁には相互に前後に位置する連通孔１９、２１が貫通形成されており、連通孔１９と２１間において仕切板１３から垂下する隔壁１３Ａにより、底面ダクト１６は前後に仕切られている。
【００２８】
更に、断熱箱体２の底壁には、連通孔１９、２１に対応して断熱性の冷却箱２２が外側から取り付けられ、機械室８内に位置している。この冷却箱２２内には冷却装置Ｒの冷媒回路を構成する冷却器２３と冷気循環用送風機２４が収納されており、冷却器２３によって冷却箱２２内は連通孔１９側と連通孔２１側とに区画されている。これにより、陳列室３−冷気吸込口１８−底面ダクト１６−連通孔１９−冷気循環用送風機２４（冷却箱２２内）−冷却器２３（冷却箱２２内）−連通孔２１−底面ダクト１６−背面ダクト１４−冷気吹出口１７−陳列室３と渡る一連の冷気通路が構成されている。
【００２９】
そして、実施例では、扉４の外面に硬質合成樹脂からなる扉装飾カバー３１が取り付けられている。扉装飾カバー３１は、扉４の外面を覆うように扉枠６に交換可能（ネジ止め）に取り付けられている。この場合、扉装飾カバー３１は扉枠６の側面（外面）と当接し、当該扉枠６を前方から間隔を存して隠蔽する透視不能な枠装飾部３１Ａと、その内方でガラス板７の外面を覆うと共に、当該ガラス板７の前方に間隔を存して位置する透視可能なガラス装飾部３１Ｂとから成り、当該枠装飾部３１Ａとガラス装飾部３１Ｂとにより扉４の外面全体を覆う。
【００３０】
そして、ガラス装飾部３１Ｂは、中央が前方に突出して両端部が後退した平断面湾曲形状とされ、前方から陳列室３内を見た場合に商品陳列がより立体的に見えるように配慮されている。
【００３１】
このようにショーケースＳの扉４に扉装飾カバー３１を交換可能に取り付けているので、設置場所や使用目的、陳列商品に応じて他の形状の扉装飾カバー３１に交換することで、ショーケースＳの意匠を容易に変更することができるようになり、販売効果の著しい改善を図ることができるようになる。
【００３２】
そして、上記扉装飾カバー３１の下方に位置して機械室８の前面開口を閉塞する機械室カバー２９が本体１に着脱自在（交換可能）に取り付けられている。この場合、機械室カバー２９には、開口２９Ａが形成され、この開口２９Ａに対応して機械室カバー２９には、ルーバ３２とメッシュ部３３とを一体に備えたフィルタ３５が着脱可能に取り付けられている。尚、図２の３４は、凝縮器９の前側に対応した開口を有するグリル板であり、凝縮器用送風機１０の運転により開口２９Ａからフィルタ３５を経て吸引された外気を、効率よく凝縮器９に通風させる機能を奏する。
【００３３】
ここで、図４乃至図９を参照して上記商品陳列用の棚１１について詳述する。図４は複数段の棚１１が架設された状態を示す斜視図、図５は棚支持枠３８に支持された状態を示す棚１１の平面図、図６は棚１１の斜視図、図７は図６の部分拡大図、図８は棚１１の正面図、図９は図８の部分拡大図をそれぞれ示している。
【００３４】
本実施例における棚１１は、透光性の板材にて構成され、陳列室３内に設けられた各支柱３６に四隅部が保持される棚支持枠３８上に載置されて陳列室３内に架設される。
【００３５】
具体的には、上述した如き陳列室１１内の両側面には、前後に位置して図４に示すような上下に延在する支柱３６が設けられている。当該支柱３６には、上下方向に所定間隔を存して複数の図示しない取付孔が形成されている。この取付孔には、棚支持枠３８を保持する取付具３７が係脱自在に係合される。
【００３６】
棚支持枠３８は、縦断面が縦長の鋼板を枠状に成形され、側辺部を複数回折曲することにより、四隅部に各取付具３７を保持する保持部が形成され、所定の強度を有する。そのため、各支柱３６の棚１１の取付位置における取付孔に取付具３７を係合させ、各取付具３７に棚支持枠３８の四隅部の保持部を保持させる。
【００３７】
そして、棚１１は、透光性の板材として透明な熱可塑性樹脂板、例えばアクリル樹脂、メタクリル樹脂、ポリカーボネート樹脂、ポリ塩化ビニル樹脂、非晶性ポリエステル樹脂、非晶性オレフィン系樹脂にて構成されており、導光板としての機能を奏するため、棚１１の後端部に設けられたＬＥＤ照明装置４０からの光を入射する後端面１１Ａ（光入射面）は、表面平坦な形状とされていると共に、その他の端面、即ち、前端面１１Ｂ、各側端面１１Ｃは、圧熱プレスにて凸状のドット加工が施された光拡散面とされている。尚、本実施例では凸状のドット加工により光拡散面を構成しているが、これに限定されるものではなく、光入射面から入射された光を乱反射させ、拡散するための構造であれば、例えば、磨りガラス形状や、複数条の溝や筋、傷などによって形成しても良い。
【００３８】
そして、この棚１１の商品載置面とされる上面１１Ｄには、図６乃至図９に示すように、複数の凸部３９が網点パターン状に一体に形成されている。各凸部３９の表面には、図７にてハッチングにて示したように、圧熱プレスにて凸状のドット加工が施されることによる粗面３９Ａとされている。尚、当該粗面３９Ａの形成は、上記他の端面に形成された光拡散面の形成と同様に、これに限定されるものではなく、光入射面から入射された光を乱反射させ、拡散するための構造であれば、例えば、磨りガラス形状や、複数条の溝や筋、傷などによって形成しても良い。
【００３９】
尚、図４及び図５における４５は、商品落下防止用のガードを兼ねた棚前欄干飾りであり、棚１１上に載置される商品の名称や価格等を示したプライスカードを保持可能とされている。
【００４０】
そして、棚１１の後端部には、ＬＥＤ照明装置４０が設けられている。当該ＬＥＤ照明装置４０は、複数のＬＥＤ素子４１を所定間隔を存して基板４２に配設して構成されており、ＬＥＤ取付部材４３を介して棚１１の後端部の長手方向に延在して取り付けられる。尚、図中４４は、基板４２から引き出されたリード線である。本実施例においてＬＥＤ素子４１は、チップタイプの白色ＬＥＤ素子を採用している。
【００４１】
以上の構成により、ＬＥＤ照明装置４０の各ＬＥＤ素子４１に通電することにより、当該ＬＥＤ素子４１から照射された光は、棚１１の後端面１１Ａから棚１１内部に入射され、当該入射光は、棚１１全体を光らせつつ、棚１１の各端面は光拡散構造が施されているため、前端面１１Ｂ、各側端面１１Ｃにて入射した光が乱反射され、効果的な棚照明を実現することが可能となり、外観の向上を図ることができる。
【００４２】
また、棚１１の上面１１Ｄの各凸部３９の粗面３９Ａに到達した光は、当該粗面３９Ａにて乱反射され、これによって、棚全体に光が拡散し、上記各端面１１Ｂ、１１Ｃのみならず、棚１１の上面１１Ｄ及び下面１１Ｅからも光が放射される。
【００４３】
これによって、棚１１の商品載置面とされる棚上面１１Ｄに陳列される商品や、当該棚１１の下方に架設される棚１１に陳列される商品を効果的に照明することが可能となり、ショーケースＳによる陳列効果を高めることができる。棚１１自体を光らせた効果的な棚照明を実現することができる。
【００４４】
特に、棚上面１１Ｄの光拡散構造を構成する粗面３９Ａが形成された各凸部３９は、網点パターン状に上面１１Ｄに一体に形成されているため、当該棚の上面１１Ｄに載置される商品は、複数の凸部３９上に渡った状態で載置される。従って、当該棚の上面１１Ｄに載置される商品と当該棚１１との接触部分を網点パターン状の凸部３９との接触面に限ることができ、商品の棚１１上の滑動を円滑なものとすることができる。
【００４５】
そのため、商品が棚１１の前方から取り出された場合であっても、後方の商品を前側に移動させる際に、商品と棚１１との摩擦を小さくすることができ、作業効率を向上させることができる。また、棚１１の上面１１Ｄに摩擦による傷がつきにくくなる。
【００４６】
また、当該棚１１を後部よりも前部が低くなるように傾斜（例えば商品載置面とショーケースＳの設置面とが略８°の角度を有するように）して陳列室３内に架設した場合には、当該棚１１の上面１１Ｄに、格別にフッ素と相当を施すことなく、上面に載置される商品が自重によって、前方に滑動する。従って、商品が前方から取り出されても、当該商品及びその後方の商品の自重によって棚前欄干飾り（ガード）４５に当接するまで前方に移動し、常に、商品が棚１１の前方に陳列された状態を維持することが可能となる。これにより、店員等の陳列作業を簡素化しつつ、整然として商品陳列を実現することができる。
【００４７】
そして、上述した如き棚１１は、支柱３６に取り付けられた棚支持枠３８の上端面上に載置することにより、陳列室３内に架設されているため、所定の強度を有する棚支持枠３８によって棚を保持することができ、棚１１の架設構造を簡素化することができる。そのため、棚１１の上面１１Ｄや端面のみならず、下面１１Ｅから放射される光が棚１１の架設構造によって大きく遮蔽されてしまう不都合を解消でき、陳列室３内全体を明るく照明することが可能となる。
【００４８】
特に、棚支持枠３８は、縦断面が縦長の鋼板を枠状に成形して成り、該板材の上端面にて棚１１を支持する構成とされているため、棚１１の下面と当該棚１１を支持する棚支持枠３８との接触面積を板材の上端面に制限することができ、棚１１の下面から照射される光を極力遮蔽しない構成とすることができる。
【００４９】
尚、上記実施例では、棚１１の上面１１Ｄに形成された凸部３９が、網点パターン状に形成された場合について説明しているが、これに限定されるものではなく、例えば凸部３９を線状に形成したものであっても良い。ここで、凸部３９を線状に形成した棚５０について図１０乃至図１３を参照して説明する。図１０は棚５０の斜視図、図１１は図１０の部分拡大図、図１１は棚５０の正面図、図１２は図１１の部分拡大図をそれぞれ示している。
【００５０】
棚５０は、上記実施例の棚１１と同様に透光性の板材にて構成されており、棚５０の後端部に設けられたＬＥＤ照明装置４０からの光を入射する後端面５０Ａ（光入射面）は、表面平坦な形状とされていると共に、その他の端面、即ち、前端面５０Ｂ、各側端面５０Ｃは、圧熱プレスにて凸状のドット加工が施された光拡散面とされている。上記同様、凸状のドット加工により光拡散面を構成しているが、これに限定されるものではなく、光入射面から入射された光を乱反射させ、拡散するための構造であれば、例えば、磨りガラス形状や、複数条の溝や筋、傷などによって形成しても良い。
【００５１】
そして、この棚５０の商品載置面とされる上面５０Ｄには、前後に延在する線状に複数の凸部５１が形成されている。各凸部５１の表面には、図１１にてハッチングにて示したように、圧熱プレスにて凸状のドット加工が施されることによる粗面３９Ａとされている。尚、当該粗面５０Ａの形成は、上記他の端面に形成された光拡散面の形成と同様に、これに限定されるものではなく、光入射面から入射された光を乱反射させ、拡散するための構造であれば、例えば、磨りガラス形状や、複数の溝や筋、傷などによって形成しても良い。
【００５２】
係る構成の棚５０の場合においても、ＬＥＤ照明装置４０の各ＬＥＤ素子４１に通電することにより、当該ＬＥＤ素子４１から照射された光は、棚５０の後端面５０Ａから棚５０内部に入射され、当該入射光は、棚５０全体を光らせつつ、棚５０の各端面は光拡散構造が施されているため、前端面５０Ｂ、各側端面５０Ｃにて入射した光が乱反射され、効果的な棚照明を実現することが可能となり、外観の向上を図ることができる。
【００５３】
また、棚１１の上面５０Ｄの各凸部５１の粗面５１Ａに到達した光は、当該粗面５１Ａにて乱反射され、これによって、棚全体に光が拡散し、上記各端面５０Ｂ、５０Ｃのみならず、棚５０の上面５０Ｄ及び下面５０Ｅからも光が放射される。
【００５４】
これによって、棚５０の商品載置面とされる棚上面５０Ｄに陳列される商品や、当該棚５０の下方に架設される棚５０に陳列される商品を効果的に照明することが可能となり、ショーケースＳによる陳列効果を高めることができる。棚５０自体を光らせた効果的な棚照明を実現することができる。
【００５５】
特に、棚上面５０Ｄの光拡散構造を構成する粗面５１Ａが形成された各凸部５１は、前後に延在する線状に上面５０Ｄに一体に形成されているため、当該棚の上面５０Ｄに載置される商品は、複数の凸部５１上に渡った状態で載置される。従って、当該棚の上面５０Ｄに載置される商品と当該棚５０との接触部分を線状の凸部５１との接触面に限ることができ、商品の棚５０上での前後方向での滑動を円滑なものとすることができる。
【００５６】
そのため、商品が棚５０の前方から取り出された場合であっても、後方の商品を前側に移動させる際に、商品と棚５０との摩擦を小さくすることができ、作業効率を向上させることができる。また、棚の上面５０Ｄに摩擦による傷がつきにくくなる。
【００５７】
尚、当該棚５０を後部よりも前部が低くなるように傾斜（例えば商品載置面とショーケースＳの設置面とが略８°の角度を有するように）して陳列室３内に架設した場合にも、同様の効果を奏する。
【００５８】
また、当該実施例における棚５０に形成された凸部５１は、前方にいくに従い当該凸部５１の幅が太く、後方にいくに従い幅が細くなるように形成されている。そのため、棚５０の後端面５０Ａから入射されたＬＥＤ照明装置４０からの光は、前方にいくに従い減衰される傾向があるが、このように当該凸部５１の幅寸法を前方にいくに従い太くなるように形成することで、棚全体として均一に光らせることが可能となる。
【００５９】
上記各実施例における棚１１、５０を採用したショーケースＳは、冷却装置Ｒによって陳列室３内を冷却するものであり、上述したように陳列室３内に架設された棚１１又は５０に照明装置を設けているが、当該照明装置は、ＬＥＤ素子４１を採用したものであるため、陳列室３内が低温となっても、蛍光灯のような低温による照度低下を生じないため、効果的な照明を実現することができる。そのため、本発明は、特に、陳列室３内を冷凍などの低温に冷却して使用する低温ショーケースＳにおいて特に有効となる。
【符号の説明】
【００６０】
Ｓ    低温貯蔵庫
Ｒ    冷却装置
１    本体
２    断熱箱体（断熱壁）
３    陳列室
４    扉
８    機械室
１１、５０    棚
１１Ａ、５０Ａ  後端面（光入射面）
１１Ｂ、５０Ｂ  前端面
１１Ｄ、５０Ｄ  棚上面
１１Ｅ、５０Ｅ  棚下面
２３    冷却器
３１    扉装飾カバー
３６    支柱
３７    取付具
３８    棚支持枠
３９、５１  凸部
３９Ａ、５１Ａ  粗面
４０    ＬＥＤ照明装置
４１    ＬＥＤ素子
４２    基板
４３    ＬＥＤ取付部材
４４    リード線
４５    棚前欄干飾り
【図１】
2012029878.tif 000003
【図２】
2012029878.tif 000004
【図３】
2012029878.tif 000005
【図４】
2012029878.tif 000006
【図５】
2012029878.tif 000007
【図６】
2012029878.tif 000008
【図７】
2012029878.tif 000009
【図８】
2012029878.tif 000010
【図９】
2012029878.tif 000011
【図１０】
2012029878.tif 000012
【図１１】
2012029878.tif 000013
【図１２】
2012029878.tif 000014
【図１３】
2012029878.tif 000015